(57)【要約】【課題】簡単な構成で、受信サービスの切替を違和感無く行うことを可能とするデジタルデータ受信機を提供することを目的とする。【解決手段】特定のチャンネルの放送波から第１データを出力する第１データ出力部（６１）と、放送波から第１データとは異なる第２データを出力する第２データ出力部（６２）と、特定のチャンネルの放送波、第１データ又は第２データの受信状態を検出する第１検出部（４０）と、第１データ又は第２データのデータ内容を検出する第２検出部（７０、８０）と、第１検出部及び第２検出部の検出結果に基づいて第１データから第２データへ切替えて出力するように制御する制御部（９０）を有することを特徴とするデジタルデータ受信機（１００）。【選択図】図１
2010016758.tif 000002
【特許請求の範囲】
【請求項１】
特定のチャンネルの放送波から第１データを出力する第１データ出力部と、
前記放送波から前記第１データとは異なる第２データを出力する第２データ出力部と、
前記特定のチャンネルの放送波、前記第１データ又は第２データの受信状態を検出する第１検出部と、
前記第１データ又は第２データのデータ内容を検出する第２検出部と、
前記第１検出部及び第２検出部の検出結果に基づいて、前記第１データから第２データへ切替えて出力するように制御する制御部と、
を有することを特徴とするデジタルデータ受信機。
【請求項２】
前記第２検出部は、前記第１データに含まれる音声データの内容を検出する、請求項１に記載のデジタルデータ受信機。
【請求項３】
前記第２検出部は、前記第１データに含まれる映像データの内容を検出する、請求項１に記載のデジタルデータ受信機。
【請求項４】
前記第２検出部は、前記第１データに含まれる情報データの内容を検出する、請求項１に記載のデジタルデータ受信機。
【請求項５】
前記第１データはワンセグ放送に対応し、前記第２データはフルセグ放送に対応する、請求項１〜４の何れか一項に記載のデジタルデータ受信機。
【発明の詳細な説明】
【技術分野】
【０００１】
本発明は、複数種類の受信サービスを切替えて使用することができるデジタル放送受信機等のデジタルデータ受信機に関するものである。
【背景技術】
【０００２】
日本の地上デジタルテレビ放送では、伝送特性の異なる複数の階層を同時に伝送する階層伝送が可能である。そこで、例えば、デジタル放送による同一チャネルの放送波から異なった種類の符号化されたデジタルデータ（ＭＰＥＧ２、ＭＰＥＧ４等）を受信し、受信状況に応じて一方の種類の符号化されたデジタルデータに切替える技術が知られている（例えば、特許文献１）。
【０００３】
また、受信状況に応じて異なった種類の符号化されたデジタルデータに切替える場合、それぞれの符号化されたデジタルデータから復号化された映像データが完全に同期しているとは限らないので、切替えによって、映像がシームレスに切替えられないという不都合があった。そこで、番組のシーンが変化する期間内に切替を行う技術が知られている（例えば、特許文献２）。
【０００４】
【特許文献１】特開２００２−１５８７２６号公報（２頁、図１）
【特許文献２】特開２００６−２７０８２４号公報（第２頁）
【発明の開示】
【発明が解決しようとする課題】
【０００５】
しかしながら、シーンが変化する等の番組の内容を自動的に判別することは非常に難しく、そのための判断プログラム等の保存や動作等のために多くの処理能力を割かれてしまう等の問題があった。
【０００６】
そこで、本発明は、簡単な構成で、受信サービスの切替を違和感無く行うことを可能とするデジタルデータ受信機を提供することを目的とする。
【課題を解決するための手段】
【０００７】
上記課題を解決するために、本発明に係るデジタルデータ受信機は、特定のチャンネルの放送波から第１データを出力する第１データ出力部と、放送波から第１データとは異なる第２データを出力する第２データ出力部と、特定のチャンネルの放送波、第１データ又は第２データの受信状態を検出する第１検出部と、第１データ又は第２データのデータ内容を検出する第２検出部と、第１検出部及び第２検出部の検出結果に基づいて第１データから第２データへ切替えて出力するように制御する制御部を有することを特徴とする。
【発明の効果】
【０００８】
本発明に係るデジタルデータ受信機によれば、第１データに含まれる、音声データ、映像データ又は情報データに基づいて、切替に最適な時点を選んで第１データから第２データへの切替を行うので、簡単且つ確実に、不快感なく、切替を行うことが可能となった。
【発明を実施するための最良の形態】
【０００９】
以下図面を参照して、本発明に係るデジタルデータ（放送）受信機について説明する。
【００１０】
本発明に係るデジタルデータ受信機は、日本の地上デジタルテレビ放送に対応した受信機である。地上デジタルテレビ放送では、１チャンネル分の帯域を１３個のセグメントに分割し、そのうちの１２セグメントを「フルセグ」用とし、残りの１セグメントを「ワンセグ」用に割り付けている。フルセグではデータ圧縮方式としてＭＰＥＧ２方式を採用し、ワンセグではデータ圧縮方式としてＭＰＥＧ４方式を採用している。フルセグ用の符号化デジタルデータは、ＭＰＥＧ２方式で符号化されたものであって、高品質であるが、ビットレートが高いことからノイズ耐性が弱く、放送局からの距離が長くなると、良好な受信が困難となる場合がある。これに対してワンセグ用の符号化デジタルデータは、ＭＰＥＧ４方式で符号化されたものであって、ＭＰＥＧ２方式に比べるとビットレートが低いため、ノイズ耐性が強く、放送局からの距離がより長くなっても良好に受信することが可能となる。本発明に係るデジタルデータ受信機では、フルセグ用とワンセグ用とを、最適なタイミングで切替え、ユーザに切替時の不快感を与えないようにしたものである。
【００１１】
図１は、本発明に係るデジタルデータ受信機１００の概要を示すブロック図である。
【００１２】
デジタルデータ受信機１００は、第１アンプ（ＡＭＰ）１１〜第４アンプ１４、セレクタ２０、チューナ部３０、チューナ・マイコン３１、ＯＦＤＭ復調部４０、多重分離部５０、第１デコーダ６１及び第２デコーダ６２、描画処理部７０、ＤＳＰ（Distal Signal Processor）８０、パワーＩＣ８１、ＣＰＵ９０、操作ボタンやボリューム等を含む操作部９１、メモリ９１、Ｉ／Ｏ９３等から構成されている。
【００１３】
また、デジタルデータ受信機１００は、第１アンテナ１１０〜第４アンテナ１４０、ナビゲーション装置１５０、タッチパネルを装備した車載用ディスプレイ１６０、車載スピーカ１７０等と接続されている。なお、デジタルデータ受信機１００は、前述した第１アンテナ１１０〜第４アンテナ１４０、ナビゲーション装置１５０、車載用ディスプレイ１６０及び車載スピーカ１７０の何れか１つ又は複数を含むように、また何れか１つ又は複数に含まれるように構成されても良い。
【００１４】
車体（不図示）の異なった位置に取り付けられた第１アンテナ１１０〜第４アンテナ１４０で受信された放送波は第１ＡＭＰ１１〜第４ＡＭＰ１４でそれぞれ増幅されてセレクタ２０に入力される。セレクタ２０では、移動受信用ダイバ−シティ受信技術に基づき、入力された４種類の放送波信号の最大比合成や、所定のアンテナからの放送波のみの選択等を行い、チューナ部３０へ転送する。
【００１５】
チューナ部３０は、操作部９１によって指示された所定のチャンネルの放送波を受信するようにチューナ・マイコン３１によって制御され、所定のチャンネルの放送波を受信するように同調動作を行い、受信帯域に存在するＯＦＤＭ（Orthogonal Frequency Division Multiplexing）信号を抽出して、ＯＦＤＭ復調部４０へ転送する。
【００１６】
ＯＦＤＭ復調部４０では、ＯＦＤＭ信号の復調を行ってデジタル信号を取り出し、デジタル信号の誤り訂正処理を行ってＴＳパケット信号を出力し、多重分離部５０へ転送する。また、ＯＦＤＭ復調部４０では、誤り訂正処理によって誤り訂正を行うことができなかったことを示す訂正エラー信号ＲＳを、描画処理部７０へ送信する。
【００１７】
多重分離部５０は、受信したＴＳパケット信号を分離して、フルセグ用の映像、音声及び情報に関するＴＳパケットを第１デコーダ６１へ、ワンセグ用の映像、音声及び情報に関するＴＳパケットを第２デコーダ６２へ、それぞれ転送する。
【００１８】
第１デコーダ６１は、多重分離部５０から受信したＴＳパケットに含まれるデータをデコードして、フルセグ用（ＭＰＥＧ２方式）の映像データ及び情報データを生成して描画処理部７０へ送信し、フルセグ用の音声データを生成してＤＳＰ８０へ送信する。また、第２デコーダ６２は、多重分離部５０から受信したＴＳパケットに含まれるデータをデコードして、ワンセグ用（ＭＰＥＧ４方式）の映像データ及び情報データを生成して描画処理部７０へ送信し、ワンセグ用の音声データを生成してＤＳＰ８０へ送信する。情報データとは、番組毎に付加されている番組タイトルデータや、ＥＰＧ（番組案内情報）データ等を指す。
【００１９】
描画処理部７０は、映像データを一時記憶するためのＶＲＡＭ等の記憶部、映像データと情報データを組み合わせて車載用ディスプレイに応じた所定の画像データを作成するための補間処理、置換処理等を含む演算処理を行う演算処理部等を有している。また、描画処理部７０では、ＣＰＵ９０からの制御信号に応じて、第１デコーダ６１から受信した映像データ及び情報データに基づいて生成したフルセグ用の画像データと、第２デコーダ６２から受信した映像データ及び情報データに基づいて生成したワンセグ用の画像データとの何れか一方を、車載用ディスプレイ１６０に転送する。また、描画処理部７０では、ＯＦＤＭ復調部４０から受信した訂正エラー信号ＲＳをＣＰＵ９０へ転送する。
【００２０】
ＤＳＰ８０では、ＣＰＵ９０からの制御信号に応じて、第１デコーダ６１から受信した音声データに基づいて生成したフルセグ用のアナログ音声信号と、第２デコーダ６２から受信した音声データに基づいて生成したワンセグ用のアナログ音声信号との何れか一方を、パワーＩＣ８１に出力する。パワーＩＣ８１では、入力された音声信号を増幅して、車載用スピーカ１７０へ出力する。
【００２１】
ＣＰＵ９０は、メモリ９１を利用しながら、予めインストールされているプログラムにしたがって動作し、デジタルデータ受信機の各要素の制御を行う。また、ＣＰＵ９０は、ＯＦＤＭ復調部４０から描画処理部７０を介して受信した訂正エラー信号ＲＳに基づいて、フルセグ用及びワンセグ用データの受信状況を判断し、描画処理部７０及びＤＳＰ８０から、映像データ、音声データ及び情報データの内容情報に基づいて、ワンセグ用のデータからフルセグ用データへの切替のタイミングの判断を行い、所定のタイミングでフルセグ用及びワンセグ用データの切替を行う。なお、フルセグ用及びワンセグ用データの受信状況の判断は、訂正エラー信号ＲＣに基づくものに限定されず、チューナ部における放送波の受信レベルを表すＳレベル信号等を用いても良い。
【００２２】
図２は、本発明に係るデジタルデータ受信機におけるフルセグ用及びワンセグ用データの切替処理フローの一例を示す図である。
【００２３】
図２に示す処理フローは、主に、デジタルデータ受信機１００のＣＰＵ９０が、予めメモリ９１にインストールされたプログラムに従い、デジタルデータ受信機１００の各要素と連携して実行する。また、デジタルデータ受信機１００は、図２に示す処理フローが実行される時点で、電源がＯＮされ、各種機能が動作可能な状況であるものとする。
【００２４】
最初に、ＣＰＵ９０は、ＯＦＤＭ復調部４０から描画処理部７０を介して受信した訂正エラー信号ＲＳに基づいて、フルセグ用データ及びワンセグ用データの受信率を確認する（Ｓ１０）。例えば、ＣＰＵ９０は、訂正エラー信号ＲＳが、１０００パケットに対して３以下のパケットに対してしか発生していない場合には、フルセグ用の映像データ及び音声データを利用しても、良好な画像及び音声を出力することができると判断する。逆に、例えば、ＣＰＵ９０は、１０００パケットに対して４以上のパケットに対して訂正エラー信号ＲＳが発生している場合には、受信状況が悪化しており、ワンセグ用の映像データ及び音声データを利用して画像及び音声を出力することが好ましい状況であると判断する。
【００２５】
次に、ＣＰＵ９０は、現状で、フルセグ用の映像データ及び音声データを利用して画像及び音声が出力されているか否かの検討を行う（Ｓ１１）。
【００２６】
Ｓ１１で、フルセグ用の映像データ及び音声データを利用して画像及び音声が出力されている場合には、ＣＰＵ９０は、Ｓ１０の受信状態に応じて、現在の受信状態が、フルセグ用の映像データ及び音声データを利用して画像及び音声を出力するのに好ましい状態か否かの判断を行う（Ｓ１２）。
【００２７】
Ｓ１２において、現在の受信状態が、フルセグ用の映像データ及び音声データを利用して画像及び音声を出力するのに好ましい状態である場合には、ＣＰＵ９０は、そのままフルセグ用の映像データ及び音声データを利用して画像及び音声の出力を継続する（Ｓ１５）。
【００２８】
また、Ｓ１２において、現在の受信状態が、フルセグ用の映像データ及び音声データを利用して画像及び音声を出力するのに好ましい状態でない場合には、ＣＰＵ９０は、フルセグ用からワンセグ用の映像データ及び音声データを利用して画像及び音声を出力することに直ちに切替を行う（Ｓ１６）。この場合には、受信状況が悪化しているので、切替のタイミングを図らずに、直ちに、ワンセグ用の画像及び音声に切替を行う。
【００２９】
Ｓ１１において、ワンセグ用の映像データ及び音声データを利用して画像及び音声が出力されている場合には、ＣＰＵ９０は、Ｓ１０の受信状態に応じて、現在の受信状態が、フルセグ用の映像データ及び音声データを利用して画像及び音声を出力するのに好ましい状態か否かの判断を行う（Ｓ１３）。
【００３０】
Ｓ１３において、現在の受信状態が、フルセグ用の映像データ及び音声データを利用して画像及び音声を出力するのに好ましい状態でない場合には、ＣＰＵ９０は、そのままワンセグ用の映像データ及び音声データを利用して画像及び音声の出力を継続する（Ｓ１７）。
【００３１】
Ｓ１３において、現在の受信状態が、フルセグ用の映像データ及び音声データを利用して画像及び音声を出力するのに好ましい状態である場合には、ＣＰＵ９０は、次に、現在の状態が、ワンセグ用からフルセグ用への切替を行うのに適した所定条件に合致するか否かの判断を行う（Ｓ１４）。なお、所定条件の具体例については後述する。
【００３２】
Ｓ１４において、現在の状態が所定条件に合致する場合には、ＣＰＵ９０は、ワンセグ用からフルセグ用の映像データ及び音声データを利用した画像及び音声の出力へ直ちに切替を行う（Ｓ１８）。
【００３３】
Ｓ１４において、現在の状態が所定条件に合致しない場合には、再度Ｓ１０に戻って、その間のステップを繰り返し行う。この場合には、ワンセグ用からフルセグ用への切替のタイミングとしては適切でないので、再度適切なタイミングを待つように制御するものである。なお、受信状況が悪化した場合には、フルセグ用の画像及び音声が悪化してしまうので、そのままフルセグ用の画像及び音声を出力し続けるよりも、直ぐにワンセグ用に切り替えた方が、具合が良い。しかしながら、受信状態が良好になった場合には、ワンセグ用の映像及び音声はそのまま出力し続けても問題ないので、切替のタイミングを計って、ワンセグ用からフルセグ用への切替を行うように処理したものである。
【００３４】
以上のように、デジタルデータ受信機１００では、受信状態が悪化した場合には、直ちに、フルセグ用からワンセグ用の画像及び音声への切替を行うが、受信状態が良好な状態に復帰した場合には、直ちに切替を行わず、所定条件に合致した場合にのみ切替を行うように処理している。以下、所定条件について詳述する。
【００３５】
１．モノラル放送からステレオ放送に変化した場合であって、モノラル放送とステレオ放送間の音圧差が所定値以上の場合：
このような状態は、番組と番組との間の状態（例えば、コマーシャル）であって、ユーザにとって、ワンセグ用からフルセグ用への切替のために、多少画像及び音声が途切れても、違和感や不快感を発生しない。なお、音声出力が、モノラル放送からステレオ放送に変化し、及びその間の音圧差が所定値以上（例えば、２ｄＢ以上）であるといった音声データの内容は、ＤＳＰ８０により判別され、音声データの内容情報としてＣＰＵ９０へ送信される。ＣＰＵ９０は、そのような内容情報を受信した場合には、第１フラグを立てるように制御する。
【００３６】
２．音声出力が無音又は音声レベルが非常に小さい場合：
このような状態は、場面の切替時期や重要ではない場面に該当する判然性が高いので、ユーザにとって、ワンセグ用からフルセグ用への切替のために、多少画像及び音声が途切れても、違和感や不快感を発生しない。なお、音声出力が無音又は音声レベルが非常に小さい（３０ｄＢ以下）といった音声データの内容は、ＤＳＰ８０により判別され、音声データの内容情報としてＣＰＵ９０へ送信される。ＣＰＵ９０は、そのような内容情報を受信した場合には、第２フラグを立てるように制御する。
【００３７】
３．画面が黒画の場合：
このような状態は、場面の切替時期や重要ではない場面に該当する判然性が高いので、ユーザにとって、ワンセグ用からフルセグ用への切替のために、多少画像及び音声が途切れても、違和感や不快感を発生しない。なお、画面が黒画とは、例えば、黒色ピクセルの割合が画面全体の７０％以上の場合を言い、そのような映像データの内容は、描画処理部７０により判別され、映像データの内容情報としてＣＰＵ９０へ送信される。ＣＰＵ９０は、そのような内容情報を受信した場合には、第３フラグを立てるように制御する。
【００３８】
４．チャンネルが切り替わった場合：
このような状態は、元々画像や音声が変化しているので、ワンセグ用からフルセグ用への切替のために、多少画像及び音声が途切れても、違和感や不快感を発生しない。なお、チャンネルが切り替わった場合は、番組毎に付加されている番組タイトルデータが変化したことにより、描画処理部７０が判別し、そのような状態が発生した場合にはその旨の情報データの内容情報がＣＰＵ９０へ送信される。ＣＰＵ９０は、そのような内容情報を受信した場合には、第４フラグを立てるように制御する。また、描画処理部７０が、野球放送番組を受信中に、情報データに含まれる、打順リストを監視し、打順が代わる場合に、所定の情報データの内容情報をＣＰＵ９０へ送信するようにしても良い。
【００３９】
５．ナビゲーション動作を実行している場合：
このような状態では、主にナビゲーション用の地図情報が車載用ディスプレイ１６０に表示されており、音声だけが出力されている状態であるので、ワンセグ用からフルセグ用への切替のために、多少画像及び音声が途切れても、違和感や不快感を発生しない。なお、ナビゲーション動作を実行しているか否かは、ＣＰＵ９０がナビゲーション装置１５０からの制御信号に基づいて判断し、そのような制御信号を受信している場合には、第５フラグを立てるように制御する。
【００４０】
図２に示した処理フローのＳ１４において、ＣＰＵ９０は、上述した第１〜第５フラグの何れかが立っていれば、所定条件に合致していると判断して、ワンセグ用からフルセグ用のデータへの切替処理を行う（図２のＳ１８参照）。なお、上述した５つの場合は一例であって、映像データ、音声データ及び情報データの内容に基づいて、ワンセグ用からフルセグ用への切替に適した他のタイミングを、所定条件として設定することも可能である。
【図面の簡単な説明】
【００４１】
【図１】本発明に係るデジタルデータ受信機の概要を示すブロック図である。
【図２】ＴＳ及びＰＥＳの構造を示す図である。
【符号の説明】
【００４２】
４０    ＯＦＤＭ復調処理部
６１    第１デコーダ
６２    第２デコーダ
７０    描画処理部
８０    ＤＳＰ
９０    ＣＰＵ
１５０    ナビゲーション装置
１６０    車載用ディスプレイ
１７０    スピーカ
【図１】
2010016758.tif 000003
【図２】
2010016758.tif 000004